(57)【特許請求の範囲】
【請求項１】
自転車の走行距離、走行時間、消費カロリー等の走行データを算出してこれらを記録・表示するサイクルコンピュータと接続され、パソコン等との間で前記走行データの送受信を行うクレードル装置において、前記サイクルコンピュータの接続端子と電気的に接続されるクレードル装置の接続端子を被覆・保護するシャッター部材を、前記サイクルコンピュータの装着時にこれをガイドする台座部の装着方向前方に設けたことを特徴とするシャッター付きクレードル装置。
【請求項２】
前記シャッター部材は、サイクルコンピュータのクレードル装置へのスライド装着に伴って開放されるようにスライド自在に構成されたことを特徴とする請求項１に記載のシャッター付きクレードル装置。
【請求項３】
前記サイクルコンピュータとクレードル装置との間の互いの接続端子は、サイクルコンピュータとクレードル装置との装着時のスライド方向と略直交する方向に対向して配設されたことを特徴とする請求項１または２に記載のシャッター付きクレードル装置。
【請求項４】
少なくとも前記サイクルコンピュータにおける接続端子は、サイクルコンピュータとクレードル装置との装着時のスライド方向と略直交する方向にばね付勢されて構成され、前記接続端子がクレードル装置側の接続端子に向かって突出することで、サイクルコンピュータとクレードル装置との間の電気的な接続がなされるように構成されたことを特徴とする請求項３に記載のシャッター付きクレードル装置。
【請求項５】
前記サイクルコンピュータとクレードル装置との接続端子部に、これらの間の装着時のスライド方向と略直交する方向への少なくともサイクルコンピュータの接続端子の移動を可能にする、互い係合するガイド溝部とガイド突条とを設けたことを特徴とする請求項３または４に記載のシャッター付きクレードル装置。
【請求項６】
前記サイクルコンピュータをクレードル装置に装着した状態で、サイクルコンピュータよりクレードル装置の方が離脱方向に突出するように構成したことを特徴とする請求項１から５のいずれかに記載されたシャッター付きクレードル装置。
【請求項７】
前記サイクルコンピュータの装着時にこれをガイドするクレードル装置における台座部の装着方向の長さをサイクルコンピュータのスライド面の長さより充分に長く構成したことを特徴とする請求項１から６のいずれかに記載されたシャッター付きクレードル装置。
【発明の詳細な説明】
【技術分野】
【０００１】
本発明は、自転車の走行距離、走行時間、消費カロリー等の走行データを算出してこれらを記録・表示するサイクルコンピュータと接続され、パソコン等との間で前記走行データの送受信を行うクレードル装置に関する。
【背景技術】
【０００２】
自転車用スピードメータが進化したサイクルコンピュータとして走行中の速度や積算走行距離を表示するものがあり、近年ではこれらの走行データを記録しておき、パソコン等との間で前記走行データの送受信を行って、使用者やアスリートの体力向上や鍛練の基礎データとして管理したり、あるいはネットワークを通じてデータ交換をすることにより他人とのデータ比較、センターによる健康管理の促進等が行われれるようになってきた。その際、サイクルコンピュータ内に記録された走行データをパソコン等との間でデータの送受信を行うために、自転車から取り外したサイクルコンピュータを、パソコン等と接続された仲介具であるクレードル装置にワンタッチで装着することが簡便で確実なことから、クレードル装置に類似する接続仲介具が提案されている（例えば下記特許文献１および２参照）。また、自転車のサイクルコンピュータの接続仲介具ではないが、電気的接続部が外部に露呈していることにより静電気の影響を受ける不都合を回避するために、カバー体を移動自在に設置した携帯端末機器等とパソコン等との間のデータの送受信を行う接続仲介具が提案されている（例えば下記特許文献３〜６参照）。  
【特許文献１】特開平８−３０１１７２号公報（要約書参照）
【特許文献２】特開平８−１３３１５７号公報（要約書参照）
【特許文献３】特開２０００−１５１７５９号公報（要約書参照）
【特許文献４】特許第３１０８３４１号（請求項１参照）
【特許文献５】実開昭５９−７０２６２号公報（実用新案登録請求の範囲参照）
【特許文献６】特許第３２６００３０号（請求項１参照）
【発明の開示】
【発明が解決しようとする課題】
【０００３】
前記特許文献１に開示された自転車用走行データ処理装置を図６に示して簡単に説明する。自転車競技者のレースやトレーニングをするにあたって、スピードメータ取付け用ブラケット１０３に自転車用データ記憶装置１０２を介してスライドさせて取り付けられたスピードメータ１０１により、走行時間に対する走行速度の変化や走行距離に対する走行速度の変化をみるために、走行時間と関連づけて走行距離と走行速度を記憶する自転車用データ記憶装置１０２を設けることによって、走行終了後に各種データを確認できるようにしたものである。
【０００４】
次に、特許文献２に開示された自転車用スピードメータの走行情報管理システムを図７に示して簡単に説明する。スピードメータ２１０のメモリ内に記憶された情報を該スピードメータ２１０自体のスピード信号入力端子２１２、２１４から出力するとともに、これをＩ／Ｏボックス２２０で受け止め、パソコン２３０で受け止めることのできる信号態様に変換する。Ｉ／Ｏボックス２２０はパソコン２３０側から出力される情報を受け取るとともに、これをスピードメータ２１０の前記スピード信号入力端子２１２、２１４を介して該スピードメータ２１０が受け取ることのできる信号態様に変換する機能も合わせて有している。
【０００５】
さらに、前記特許文献３に開示された携帯端末装置を図８に示して簡単に説明する。データの送受信を行う携帯端末装置であって、筐体３０１側電気的接続部３０２に電気的接続部品３０３をスライド挿入して電気的接続を行うもので、その接続部に付勢部材３０９により付勢され接続部を保護するシャッター３０８を、電気的接続部品３０３のスライド方向にスライド自在に設けたものである。図示はしないが、前記筐体側電気的接続部３０２と電気的接続部品３０３とのいずれか一方の複数の電気的接続端子の一部を、電気的接続部品３０３の抜去り方向に長く形成して、電気的接続部品３０３の抜去りを電気的に判別可能にして、端子接続の有無を分かり、データ損傷の防止をも行うものである。
【０００６】
また、前記特許文献４に開示されたシャッター付きコネクタを図９に示して簡単に説明する。雌コネクタ４２０におけるコンタクト（接続部）４１３を保護するためのシャッター４２４をハウジング４２２に摺動可能に設け、シャッター４２４を復帰させるトーションバネ４４８を具備し、ハウジング４２２の底板に突起４３８を形成し、この突起４３８と前記ハウジング４２２の内壁面との間に前記トーションバネ４４８の一方の腕４４８ｂを係止する係止溝４４０を形成し、前記シャッター４２４に案内用リブ４４６を形成し、このリブ４４６に前記トーションバネ４４８の他方の腕４４８ｃを摺動可能に係合する係合溝４４６ａを形成したもので、シャッター４２４が摺動したときのトーションバネ４４８の捩じれ、ひいてはシャッター４２４の捩じれを防止することができる。
【０００７】
さらに、前記特許文献５に開示されたＩＣカードを図１０に示して簡単に説明する。ＩＣを埋め込んだカード５０１であって、前記ＩＣの各端子を、外部データ伝送装置と電気的に接続するために、カード本体５０１の表面に設けた接点端子５０３と電気的に連結させたカードにおいて、前記カード本体５０１の表面に設けた接点端子５０３を外部環境から保護するための保護カバー５０２を、カード本体５０１に対して一体的にかつ摺動可能に設けたことを特徴とするもので、使用時のみに接点端子５０３が露出するので、それ以外の時は自動的に保護カバー５０２により保護される。
【０００８】
さらにまた、前記特許文献６に開示されたコネクタの保護構造を図１１に示して簡単に説明する。第１の電子機器６２０はコネクタ６２１を覆う第１の位置から前記コネクタ６２１が露出する第２の位置まで移動可能なカバー部６２４を有し、該カバー部６２４には前記第１の位置に付勢する（ａ方向）バネ６２６と、前記第１の電子機器６２０に装着され揺動する第２の電子機器６１０からの前記第１の方向と反対の方向（ｂ方向）の圧力を受けて前記カバー部６２４を第２の位置に移動させる受け部６２７とが設けられ、前記カバー部６２４が前記第２の位置に移動して露出したコネクタ６２１に、前記第２の電子機器６１０の接続部６１１が接続された状態にて、前記バネ６２６の第１の位置への付勢力（ａ方向）により、前記受け部６２７が第２の電子機器６１０に押し付けられるように構成したもので、コネクタ６２１への異物の侵入と、カバー部６２４にコネクタ６２１の保護と第２の電子機器６１０のロックの役割を兼用せしめることができる。
【０００９】
しかしながら、これら前述のクレードル装置ないしこれに類似する接続仲介具にあって、前記図６の第１従来例のものでは、スピードメータ１０１とともに自転車の取付け用ブラケット１０３に取り付けられる自転車用走行データ記憶装置１０２は、走行データ出力端子１１１を汎用のＵＳＢケーブル等を介してパソコン等に接続するもので、形状が定まっており設計上の制約を受けて自由度が小さくなる他、ワンタッチにてサイクルコンピュータを装着・接続できるクレードル装置とは異なり、接続に手間取ることが多かった。また、前記図７の第２従来例のものでは、サイクルコンピュータの機能を有するスピードメータ２１０をパソコン２３０に接続するには、複数の複雑な接続仲介具や接続ケーブルの接続が必要で、これもまた、ワンタッチにてサイクルコンピュータを装着・接続できるクレードル装置とは異なり、接続に手間取った。
【００１０】
さらに、前記図８の第３従来例のものでは、電気的接続部３０２に付勢部材３０９により付勢され電気的接続部３０２を保護するシャッター３０８を、電気的接続部品３０３のスライド方向にスライド自在に設けたことにより、電気的接続部品３０３のスライド装着により自動的にシャッター３０８を押し退けて電気的接続部３０２を露呈させ、電気的接続部品３０３との電気的接続が可能になったものの、電気的接続部品３０３のスライド装着の際には、そのスライド挙動が安定せず、電気的接続部３０２に対して電気的接続部品３０３が浮き上がってこじられて電気的接続端子が破損する虞れがあった。さらにまた、前記図９の第４従来例のものでは、シャッター４２４が摺動したときのトーションバネ４８の捩じれ、ひいてはシャッター４２４の捩じれを防止することができることとなったものの、図示省略の雄コネクタとの接続に関しては格別の配慮がなされている訳ではなく、これも前記図８の第３従来例のものと同様に、雄コネクタのスライド挙動が安定せず、コンタクト４１３に対して雄コネクタが浮き上がってこじられてコンタクト４１３が破損する虞れがあった。
【００１１】
また、前記図１０の第５従来例のものでは、雌側の外部装置５０７内にバネ端子５１４が配設され、摺動装着すべきカード本体５０１側に、表面に設けた接点端子５０３を外部環境から保護するための保護カバー５０２がバネ５１２により復帰可能に付勢されて設けられているため、携帯側に保護カバー５０２を設ける必要があってその構造がやや煩雑になった。そして依然として、雌側の外部装置５０７と雄側のカード本体５０１との摺動装着ストロークが小さく、それらの間の接続が不安定であった。さらに、前記図１１の第６従来例のものでは、第２の電子機器６１０の揺動運動によって、第１の電子機器６２０に装着されたカバー部６２４を兼用する受け部材６２７を移動させてコネクタ６２１を露呈させ、接続部６１１をコネクタ６２１に接続するので、図示省略の第２の電子機器６１０の他端部に揺動中心機構を設ける必要がある等、特定の構造のものに限定された。また、第２の電子機器６１０の揺動方向と、接続部６１１とコネクタ６２１との接続方向が一致するため、外因により接続部６１１とコネクタ６２１との接続が解かれる可能性があった。また、前記図８、図９や図１０の従来例では、雄コネクタ側のスライド挿入方向に対して直交する方向に対向して接続端子が配設されているものの、雄コネクタ側の離脱防止に関しての対策は何ら講じられておらず、容易に脱落して電気的接続が断たれる虞れがあった。
【００１２】
そこで本発明は、前記従来のクレードル装置ないしこれに類似する接続仲介具における諸課題を解決して、格別の静電気防止回路を設けずとも、簡素な構造のシャッターにより接続端子部が保護されるとともに、安定したスライド接続を可能にして電気的接続端子部の遮断や破損の虞れがないシャッター付きクレードルを提供することを目的とする。
【課題を解決するための手段】
【００１３】
このため本発明は、自転車の走行距離、走行時間、消費カロリー等の走行データを算出してこれらを記録・表示するサイクルコンピュータと接続され、パソコン等との間で前記走行データの送受信を行うクレードル装置において、前記サイクルコンピュータの接続端子と電気的に接続されるクレードル装置の接続端子を被覆・保護するシャッター部材を、前記サイクルコンピュータの装着時にこれをガイドする台座部の装着方向前方に設けたことを特徴とする。また本発明は、前記シャッター部材は、サイクルコンピュータのクレードル装置へのスライド装着に伴って開放されるようにスライド自在に構成されたことを特徴とする。また本発明は、前記サイクルコンピュータとクレードル装置との間の互いの接続端子は、サイクルコンピュータとクレードル装置との装着時のスライド方向と略直交する方向に対向して配設されたことを特徴とする。また本発明は、少なくとも前記サイクルコンピュータにおける接続端子は、サイクルコンピュータとクレードル装置との装着時のスライド方向と略直交する方向にばね付勢されて構成され、前記接続端子がクレードル装置側の接続端子に向かって突出することで、サイクルコンピュータとクレードル装置との間の電気的な接続がなされるように構成されたことを特徴とする。また本発明は、前記サイクルコンピュータとクレードル装置との接続端子部に、これらの間の装着時のスライド方向と略直交する方向への少なくともサイクルコンピュータの接続端子の移動を可能にする、互い係合するガイド溝部とガイド突条とを設けたことを特徴とする。また本発明は、前記サイクルコンピュータをクレードル装置に装着した状態で、サイクルコンピュータよりクレードル装置の方が離脱方向に突出するように構成したことを特徴とする。また本発明は、前記サイクルコンピュータの装着時にこれをガイドするクレードル装置における台座部の装着方向の長さをサイクルコンピュータのスライド面の長さより充分に長く構成したことを特徴とするもので、これらを課題解決のための手段とする。
【発明の効果】
【００１４】
本発明によれば、自転車の走行距離、走行時間、消費カロリー等の走行データを算出してこれらを記録・表示するサイクルコンピュータと接続され、パソコン等との間で前記走行データの送受信を行うクレードル装置において、前記サイクルコンピュータの接続端子と電気的に接続されるクレードル装置の接続端子を被覆・保護するシャッター部材を、前記サイクルコンピュータの装着時にこれをガイドする台座部の装着方向前方に設けたことにより、サイクルコンピュータを装着して接続するに伴い自動的にシャッター部材を開放して接続端子を接続することができる。しかもその際に、クレードル装置の台座部にガイドされてサイクルコンピュータを盲動することなく安定してスライドさせて装着することができる。その上、汎用ＵＳＢコネクタ等を使用するのに対して、クレードル装置とサイクルコンピュータとの接続部を自由に設計できるのでサイクルコンピュータ側の接続端子部の設計の自由度も向上し、また、シャッター部材を設けたことにより、クレードル装置に静電気防止回路等を設けずとも安価な静電気対策が可能となる。さらには、クレードル装置の防水対策も検討し易い。
【００１５】
また、前記シャッター部材は、サイクルコンピュータのクレードル装置へのスライド装着に伴って開放されるようにスライド自在に構成された場合は、クレードル装置の台座部に沿ってガイドされて円滑にスライドするサイクルコンピュータが盲動することなく安定してシャッター部材を押し退けて開放、ないしはサイクルコンピュータのスライドしての取外しに伴い円滑にシャッター部材を閉じることができるので、クレードル装置とサイクルコンピュータとの接続部を迅速に接続ないし遮断することを可能にする。さらに、前記サイクルコンピュータとクレードル装置との間の互いの接続端子は、サイクルコンピュータとクレードル装置との装着時のスライド方向と略直交する方向に対向して配設された場合は、接続端子の離脱遮断方向がサイクルコンピュータの装着方向とは異なるので、接続端子の接続が妄りに離脱して断たれることが抑制される。
【００１６】
さらにまた、少なくとも前記サイクルコンピュータにおける接続端子は、サイクルコンピュータとクレードル装置との装着時のスライド方向と略直交する方向にばね付勢されて構成され、前記接続端子がクレードル装置側の接続端子に向かって突出することで、サイクルコンピュータとクレードル装置との間の電気的な接続がなされるように構成された場合は、接続端子の離脱遮断方向がサイクルコンピュータの装着方向と異なることで、接続端子の接続が離脱して断たれることが抑制されるとともに、ばね付勢された接続端子部同士の接続が強固に確保される。また、前記サイクルコンピュータとクレードル装置との接続端子部に、これらの間の装着時のスライド方向と略直交する方向への少なくともサイクルコンピュータの接続端子の移動を可能にする、互い係合するガイド溝部とガイド突条とを設けた場合は、ばね付勢されたサイクルコンピュータにおける接続端子部のガイド突条がクレードル装置におけるガイド溝部に落下係合することで、双方の接続端子部の電気的接続が適正かつ強固に保持されるとともに、サイクルコンピュータのスライド方向における離脱が規制されて、妄りに電気的接続が遮断されることがない。
【００１７】
さらに、前記サイクルコンピュータをクレードル装置に装着した状態で、サイクルコンピュータよりクレードル装置の方が離脱方向に突出するように構成した場合は、突出したクレードル装置の端部に人差し指や中指を掛け易くなり、親指によりサイクルコンピュータを離脱方向に押し出すことができるので、片手で容易にサイクルコンピュータをクレードル装置から取り外すことが可能になる。さらにまた、前記サイクルコンピュータの装着時にこれをガイドするクレードル装置における台座部の装着方向の長さをサイクルコンピュータのスライド面の長さより充分に長く構成した場合は、サイクルコンピュータの装着時にこれをガイドするクレードル装置における台座部が充分に長いので、片手にてもサイクルコンピュータをクレードル装置における台座部に載せた上で装着方向に円滑かつ安定させて迅速にスライド装着させたり、抜き取ることができるので、双方の接続端子部をこじること等がなく、接続端子部の損傷の虞れがない。
【発明を実施するための最良の形態】
【００１８】
以下本発明のシャッター付きクレードル装置の実施例を図面に基づいて説明する。図１〜図５は本発明のシャッター付きクレードル装置の１つの実施例を示すもので、図１は本発明のシャッター付きクレードル装置の斜視図およびサイクルコンピュータを装着した状態の斜視図、図２は本発明のシャッター付きクレードル装置の正面図および一部断面を含む側面図、図３は本発明のシャッター付きクレードル装置と装着されて組み合わされるサイクルコンピュータの裏面図および側面図、図４は同、サイクルコンピュータの正面図および一部断面を含む平面図、図５はサイクルコンピュータを装着した状態の本発明のシャッター付きクレードル装置の正面図、側面図、平面図およびサイクルコンピュータの離脱時の説明図である。
【実施例１】
【００１９】
本発明のシャッター付きクレードル装置の基本的な構成は、図１に示すように、自転車の走行距離、走行時間、消費カロリー等の走行データを算出してこれらを記録・表示するサイクルコンピュータ２０と接続され、パソコン等との間で前記走行データの送受信を行うクレードル装置１０において、前記サイクルコンピュータ２０の接続端子と電気的に接続されるクレードル装置１０の接続端子１５を被覆・保護するシャッター部材１３を、前記サイクルコンピュータ２０の装着時にこれをガイドする台座部１２の装着方向前方に設けたことを特徴とする。
【００２０】
図示は省略されるが、本発明のシャッター付きクレードル装置１０と装着されて組み合わされるサイクルコンピュータ２０は、ハンドルバー等に着脱されて使用される。サイクルコンピュータ２０は、自転車における車輪等の回転部に設置されたマグネットに臨接して車体静止部等に設置された検出部から取り出したパルス信号を処理手段の内部のタイマーを参照しながら処理を行い、一定時間毎にその時間間隔に対応した走行距離、実走行時間、消費カロリー等および全走行距離を記録する。図１（Ｃ）に示すように、サイクルコンピュータ２０の表示部２８には、前面下部に配置された表示項目（速度、走行距離、走行時間、消費カロリー等）を切り替える表示項目切替ボタン２９によって選択された項目の情報が表示される。速度はその瞬間毎に処理手段により換算し表示される。下端部にはストップウォッチ形態の手動計測モード等の開始および停止等を行うスタート・ストップボタン３０が配設される。
【００２１】
図１（Ａ）（Ｂ）に示すように、本発明のシャッター付きクレードル装置１０は、サイクルコンピュータ２０の装着時にスライドさせるガイド面となる台座部１２と、その装着方向（図１（Ａ）の矢印参照）前方となる部分の両側部にそれぞれＬ字状に形成されたフランジ受け部１１、１１を有する。フランジ受け部１１の更に奥には装着時のサイクルコンピュータ２０のストッパともなる屋根部１８が形成されている。したがって、フランジ受け部１１、屋根部１８、フランジ受け部１１とによって平面凹形状部が画成される。この平面凹形状部に、パソコン等に適宜の接続手段（図２に示すように汎用のＵＳＢケーブル等がクレードル装置１０から出力されている）にて接続されるところの、幾つかの接続端子１５を配列させた接続端子部１４が配設される。パソコンへの接続については、ＵＳＢ接続の他、ＩＥＥＥ１３９４、シリアル、パラレル接続等の有線接続や、赤外線等の適宜の無線接続でもよい。接続端子部１４の両側にはガイド溝部１６、１６が刻設される。
【００２２】
このようにして構成された接続端子部１４の上方を覆って、シャッター部材１３の両側縁がフランジ受け部１１、１１内にサイクルコンピュータ２０の装着方向（脱着方向も含む）にスライド自在に収納される。シャッター部材１３は，接続端子部１４の上方を覆う閉塞位置（図１（Ａ））と、接続端子部１４の上方が開放された開放位置（図１（Ｂ））との間を開放側にばね１７（図２（Ｄ）参照）によって付勢されている。ばね１７は実施例のような圧縮コイルばねの他、トーションばね、引張りコイルばね等適宜のものが採用され得る。このような簡素な構造のシャッター部材１３の存在によって、通常は接続端子部１４の上方が被覆・保護されているため接続端子１５に手指等が妄りに触れることがないので、手指等に帯電した静電気の影響を受けることがなく、従来のもののようにクレードル装置内に静電気防止回路等を設ける必要がないので安価に静電気防止対策が図れる。また水滴等が妄りに付着することもない。
【００２３】
図２（Ａ）（Ｂ）は前記図１のシャッター付きクレードル装置１０を正面から見た図で、パソコン等に接続される適宜の接続ケーブル１９が示されている。図２（Ａ）はシャッター部材１３が接続端子部１４の上方を開放した開放位置、図２（Ｂ）はシャッター部材１３が接続端子部１４の上方を覆う閉塞位置を明瞭に示している。図２（Ｃ）は台座部１２と、一段高いフランジ受け部１１とともに屋根部１８が示されており、図２（Ｄ）では一部断面にて、構成部材各部の関連が明瞭に示されている。複数の接続端子１５を含む接続端子部１４が台座１２に設けられ、該接続端子部１４を覆ってシャッター部材１３がばね１７の復元力により、サイクルコンピュータ２０の装着方向（脱着方向）である閉塞方向（サイクルコンピュータ２０の離脱方向）に付勢されている。シャッター部材１３は縦断面がＬ字形を呈しており、折曲端部が閉塞方向におけるストッパの機能を有する。また、クレードル装置１０の表裏はビス３１等により組み合わされている。
【００２４】
図３は本発明のシャッター付きクレードル装置と装着されて組み合わされるサイクルコンピュータの裏面図および側面図である。サイクルコンピュータ２０の裏面は平らなスライド面２２を有し、該スライド面２２が前記シャッター付きクレードル装置１０における台座部１２（例えば図１（Ａ）参照）にガイドされつつ安定にスライドして装着される。スライド面２２の装着方向前方の両側にはフランジ部２１、２１が形成され、サイクルコンピュータ２０の装着時には、これらのフランジ部２１、２１が前記クレードル装置１０におけるフランジ受け部１１、１１内をそれぞれスライド自在に移動する。これらのフランジ部２１とフランジ受け部１１とは、がたつくことなく円滑にスライドするように過不足なく挿入される。該スライド面２２の装着方向前方の表面には接続端子部２４が配設される。接続端子部２４には、複数の接続端子２５が配列されるとともに、それらの両側に突設されたガイド突条２６、２６が形成される。図３（Ａ）において接続端子部２４の上側には電池蓋３２が設けられ、内部にサイクルコンピュータ２０のための電力を供給するボタン電池等が格納される。スライド面２２の両側および装着方向前方には一段下がった段差面２３が形成されており、サイクルコンピュータ２０の装着時に、前記シャッター付きクレードル装置１０における屋根部１８上をスライドするように構成される。
【００２５】
図４は本発明のシャッター付きクレードル装置と装着されて組み合わされるサイクルコンピュータの正面図および一部断面を含む平面図である。図４（Ｃ）にて明瞭に示されるように、前記接続端子部２４は、サイクルコンピュータ２０とクレードル装置１０との装着時のスライド方向と略直交する方向（図４（Ｃ）の上下方向）にばね２７により付勢されている。このばね２７も、実施例のような圧縮コイルばねの他、リーフスプリング、引張りコイルばね等適宜のものが採用され得る。サイクルコンピュータ２０をクレードル装置１０に装着するに際して、サイクルコンピュータ２０のフランジ部２１がクレードル装置１０のフランジ受け部１１内をスライド移動する間は、サイクルコンピュータ２０の接続端子部２４はクレードル装置１０の台座部１２上を移動するため、ばね２７の復元力に抗して本体の内側に一度引き込まれる。サイクルコンピュータ２０のクレードル装置１０への装着完了時には、ばね２７の復元力によりサイクルコンピュータ２０の接続端子２５がクレードル装置１０の接続端子１５側に向かって突出することで、サイクルコンピュータ２０とクレードル装置１０との間の電気的な接続が確実かつ強固になされるとともに、これらの接続端子の離脱遮断方向がサイクルコンピュータ２０の装着方向と異なることで、接続端子の接続が離脱して断たれることが抑制される。
【００２６】
また、サイクルコンピュータ２０における接続端子部２４のばね２７による突出付勢は、サイクルコンピュータ２０の装着完了時に、サイクルコンピュータ２０の接続端子部２４に形成されたガイド突条２６、２６をクレードル装置１０の接続端子部１４に刻設されたガイド溝部１６、１６にクリック感を以て落下係合する。したがって、互い係合するガイド溝部１６とガイド突条２６とは、ばね付勢されたサイクルコンピュータ２０における接続端子部２４のガイド突条２６がクレードル装置１０におけるガイド溝部１６に落下係合することで、双方の接続端子２５、１５の電気的接続が適正かつ強固に保持されるとともに、サイクルコンピュータ２０のスライド方向における離脱が規制されて、妄りに電気的接続が遮断されることがない。ガイド溝部１６とガイド突条２６との間に少なくとも離脱方向の係合部には傾斜面が形成され、所定の力が作用するまでは、サイクルコンピュータ２０のクレードル装置１０からの離脱できないようにクリック部を構成する。所定の離脱方向の力が加わると、前記傾斜面によってサイクルコンピュータ２０における接続端子部２４はばね２７の付勢力に抗して後退して、クレードル装置１０における接続端子部１４との接続が断たれて速やかに電気的接続も遮断される。この傾斜面を含むクリック部の構成は適宜の形式が採用される。
【００２７】
図示しての詳述はしないが、前記ガイド溝部１６とガイド突条２６を互いに対応する接続端子の数だけ設けて、これらの複数の溝部１６および突条２６を、それぞれ接続端子とすることもできる。また、実施例では、クレードル装置１０や自転車の取付ブラケット等の構造を簡素化（ばねの配設を不要）するために、ばね付勢される接続端子部をサイクルコンピュータ２０側としたが、クレードル装置１０側の接続端子部をばね付勢するように構成することもできる。この場合には、サイクルコンピュータ２０の接続端子部がばね付勢されないので、クレードル装置１０や自転車の取付ブラケット等の接続端子側をばね付勢する必要がある。また、格別にばねを以て接続端子部をばね付勢する構成は無論のこと、接続端子部２４をスライド面２２と一体成形して、スリット等を形成して弾性変形し易くし、素材自体の弾性力にて相手側に付勢されるような構成も本発明の範疇にあることは言うまでもないことである。
【００２８】
図５はサイクルコンピュータを装着した状態の本発明のシャッター付きクレードル装置の正面図、側面図および平面図である。図面からも理解されるように、サイクルコンピュータ２０のクレードル装置１０への装着時（図面下方への）には、サイクルコンピュータ２０のスライド面２２をガイドするクレードル装置１０における台座部１２の装着方向の長さが、サイクルコンピュータ２０のスライド面２２の長さより充分に長く構成されているので、サイクルコンピュータ２０の装着時に、片手にてもサイクルコンピュータ２０をクレードル装置１０における台座部１２に載せてた上で装着方向に円滑かつ安定させて迅速にスライド装着させることができる。さらに、装着の後半では、クレードル装置１０における屋根部１８の上にサイクルコンピュータ２０における段差面２３が載り、サイクルコンピュータ２０の装着時のスライドにおける安定したガイド機能をさらに促進することになる。このことは、サイクルコンピュータ２０をクレードル装置１０の台座部１２上にて抜き取るときも同様である。したがって、双方の接続端子部をこじること等がなく、接続端子部の損傷の虞れがない。図５（Ｄ）に示すように、サイクルコンピュータ２０をクレードル装置１０に装着した状態で、サイクルコンピュータ２０よりクレードル装置１０の方が離脱方向に突出するように構成した場合は、突出したクレードル装置１０の端部に人差し指や中指を掛け易くなり、親指によりサイクルコンピュータ２０を離脱方向に押し出すことができるので、片手で容易にサイクルコンピュータ２０をクレードル装置１０から取り外すことが可能になる。
【００２９】
以上、本発明の実施例について説明してきたが、本発明の趣旨の範囲内で、サイクルコンピュータにおける走行データの種類、パソコン等との間の信号の送受信形態、クレードルにおける接続端子と接続ケーブルとの接続形態、シャッター部材の形状、形式、材質（静電防止が可能な素材が好適である）およびそのクレードル装置におけるスライド形態（好適には、実施例のもののように断面Ｌ字状のフランジ受け部内に収納されるが、シャッター部材の両側がクレードル装置を抱持するようなスライド形態としてもよい）、シャッター部材のばねによる復元形態（ばねについても、実施例のような圧縮コイルばねの他、リーフスプリング、引張りコイルばね等適宜のものが採用され得る）、クレードル装置における台座部の形状（サイクルコンピュータが円滑にシャッター部材を押し出すように、台座部とサイクルコンピュータのスライド面との間に互いに対応して係合するガイド条溝等を形成することもできる。また、スライドを円滑にするため台座部表面に低摩擦処理を施してもよい）、形式，台座部のサイクルコンピュータに対する長さ、サイクルコンピュータとクレードル装置における接続端子部の形状、形式（好適には、サイクルコンピュータ側の接続端子部がサイクルコンピュータの装着方向に直交する方向にばね付勢されるが、クレードル装置側がばね付勢されてもよい。あるいは双方の接続端子部がばね付勢されるようにすることもできる）、接続端子部のばね付勢形態（実施例のもののようなシリンダとピストン態様の他、接続端子部を本体部と一体成形するとともに、スリット等を設けることにより弾性変形し易くして、素材自体の弾性力にて相手側に付勢されるようにしてもよい。）、互いに整合して係合する両接続端子部におけるガイド突条およびガイド溝の形状（クリック感を以てこれらが係合するとともに、所定の力を加えることでサイクルコンピュータとクレードル装置とが離脱可能にする傾斜面の傾斜角度）等については適宜選定できる。
【図面の簡単な説明】
【００３０】
【図１】本発明のシャッター付きクレードル装置の１つの実施例を示すもので、クレードル装置の斜視図およびサイクルコンピュータを装着した状態の斜視図である。
【図２】同、シャッター付きクレードル装置の正面図および一部断面を含む側面図である。
【図３】同、シャッター付きクレードル装置と装着されて組み合わされるサイクルコンピュータの裏面図および側面図である。
【図４】同、サイクルコンピュータの正面図および一部断面を含む平面図である。
【図５】同、サイクルコンピュータを装着した状態の本発明のシャッター付きクレードル装置の正面図、側面図および平面図である。
【図６】第１従来である自転車用走行データ処理装置の説明図である。
【図７】第２従来例である自転車用スピードメータの走行情報管理システムの説明図である。
【図８】第３従来例である携帯端末装置の説明図である。
【図９】第４従来例であるシャッター付きコネクタの説明図である。
【図１０】第５従来例であるＩＣカードの説明図である、
【図１１】第６従来例であるコネクタの保護構造の説明図である。
【符号の説明】
【００３１】
１０    クレードル装置
１１    フランジ受け部
１２    台座部
１３    シャッター部材
１４    接続端子部
１５    接続端子
１６    ガイド溝部
１８    屋根部
２０    サイクルコンピュータ
２８    表示部
２９    切替ボタン
【図１】
0004926991.tif 000002
【図２】
0004926991.tif 000003
【図３】
0004926991.tif 000004
【図４】
0004926991.tif 000005
【図５】
0004926991.tif 000006
【図６】
0004926991.tif 000007
【図７】
0004926991.tif 000008
【図８】
0004926991.tif 000009
【図９】
0004926991.tif 000010
【図１０】
0004926991.tif 000011
【図１１】
0004926991.tif 000012